(57)【要約】【課題】コンロ本体をカウンターに形成されたコンロ開口に固定しやすい加熱調理器及びスペーサ部材を提供する。【解決手段】加熱調理器１は、本体ケーシング２と、加熱手段３と、天板部４と、スペーサ部材５とを備える。本体ケーシング２は、側壁２１を有し上端に上端開口を有する。スペーサ部材５は、側壁２１の外側面２１０の周方向における一部に、取り付けか非取り付けを選択して後付けで取り付け可能である。スペーサ部材５は、本体ケーシング２に取り付けられた状態で本体ケーシング２と対向しない露出外側面５０を有する。露出外側面５０のうちの一部が、カウンター６に形成されたカウンター開口６０の内側面６１のうちの第一向きを向く第一部分６２に対して位置決めする第一位置決め部５４となる。露出外側面５０のうちの他の一部が、カウンター開口６０の内側面６１のうちの第二向きを向く第二部分６３に対して位置決めする第二位置決め部５５となる。【選択図】図５
2020118399.tif 000002
【特許請求の範囲】
【請求項１】
側壁を有し上端に上端開口を有する本体ケーシングと、
前記本体ケーシングに収容される加熱手段と、
前記上端開口を覆う天板部と、
前記側壁の外側面の周方向における一部に、取り付けか非取り付けを選択して後付けで取り付け可能であるスペーサ部材と、を備え、
前記スペーサ部材は、前記本体ケーシングに取り付けられた状態で前記本体ケーシングと対向しない露出外側面を有し、
前記露出外側面のうちの一部が、カウンターに形成されたカウンター開口の内側面のうちの第一向きを向く第一部分に対して位置決めする第一位置決め部となり、
前記露出外側面のうちの他の一部が、前記カウンター開口の前記内側面のうちの前記第一向きと交差する第二向きを向く第二部分に対して位置決めする第二位置決め部となる
加熱調理器。
【請求項２】
前記露出外側面のうちの更に他の一部が、前記カウンター開口の前記内側面のうちの前記第一向きと反対の第三向きを向く第三部分に対して位置決めする第三位置決め部となる
請求項１記載の加熱調理器。
【請求項３】
前記スペーサ部材は、前記側壁のうちの互いに対向する部分の前記外側面にそれぞれ取り付け可能である
請求項１又は２記載の加熱調理器。
【請求項４】
前記スペーサ部材は、前記本体ケーシングに対して位置決めするケーシング位置決め部を有する
請求項１〜３のいずれか一項に記載の加熱調理器。
【請求項５】
前記スペーサ部材は、前記側壁の第一固定箇所及び第二固定箇所に固定され、
前記側壁は、前記第一固定箇所と前記第二固定箇所の間に、前記第一固定箇所及び前記第二固定箇所における曲げ剛性よりも低い曲げ剛性を有する低曲げ剛性箇所を有する
請求項１〜４のいずれか一項に記載の加熱調理器。
【請求項６】
前記スペーサ部材は、中心を通る一面に対して対称である
請求項１〜５のいずれか一項に記載の加熱調理器。
【請求項７】
前記スペーサ部材は、前記カウンター開口の前記内側面に接触するスパイク片を有する
請求項１〜６のいずれか一項に記載の加熱調理器。
【請求項８】
請求項１〜７のいずれか一項に記載の加熱調理器に用いられるスペーサ部材。
【発明の詳細な説明】
【技術分野】
【０００１】
本開示は、加熱調理器及びスペーサ部材に関し、さらに詳しくは、カウンター開口に挿入される加熱調理器及びこの加熱調理器に用いられるスペーサ部材に関する。
【背景技術】
【０００２】
従来、カウンタトップに開設したコンロ開口にコンロ本体を落とし込んだ状態で吊持させるドロップイン式コンロが知られている（例えば特許文献１参照）。コンロ開口の大きさは様々あり、コンロ本体に固定用ボルトをねじ込んで、固定用ボルトがコンロ開口の内壁面を押す状態で固定していた。
【０００３】
しかしながら、このような固定用ボルトでコンロ開口の内壁面を押してコンロ本体をコンロ開口に固定しようとする場合、固定用ボルトが傾くとコンロ開口の内壁面に当たらず、コンロ開口の内壁面を押すことができず、コンロ本体をコンロ開口に固定しにくいものであった。
【先行技術文献】
【特許文献】
【０００４】
【特許文献１】特許第５４２６４３０号公報
【発明の概要】
【発明が解決しようとする課題】
【０００５】
本開示は上記従来の問題点に鑑みて発明したものであって、コンロ本体をカウンターに形成されたコンロ開口に固定しやすい加熱調理器及びスペーサ部材を提供することを目的とする。
【課題を解決するための手段】
【０００６】
上記課題を解決するために一形態に係る加熱調理器は、本体ケーシングと、加熱手段と、天板部と、スペーサ部材と、を備える。前記本体ケーシングは、側壁を有し上端に上端開口を有する。前記加熱手段は、前記本体ケーシングに収容される。前記天板部は、前記上端開口を覆う。前記スペーサ部材は、前記側壁の外側面の周方向における一部に、取り付けか非取り付けを選択して後付けで取り付け可能である。前記スペーサ部材は、前記本体ケーシングに取り付けられた状態で前記本体ケーシングと対向しない露出外側面を有する。前記露出外側面のうちの一部が、カウンターに形成されたカウンター開口の内側面のうちの第一向きを向く第一部分に対して位置決めする第一位置決め部となる。前記露出外側面のうちの他の一部が、前記カウンター開口の前記内側面のうちの前記第一向きと交差する第二向きを向く第二部分に対して位置決めする第二位置決め部となる。
【０００７】
また、一形態に係るスペーサ部材は、前記加熱調理器に用いられるスペーサ部材である。
【発明の効果】
【０００８】
本開示に係る加熱調理器及びスペーサ部材にあっては、コンロ本体をカウンターに形成されたコンロ開口に固定しやすい。
【図面の簡単な説明】
【０００９】
【図１】図１は、一実施形態に係る加熱調理器をカウンターに取り付けた状態の斜視図である。
【図２】図２は、同上の加熱調理器の分解斜視図である。
【図３】図３は、同上の加熱調理器のカウンターへの取り付けを説明する要部拡大断面図である。
【図４】図４Ａは、同上の加熱調理器に用いられるスペーサ部材の側面図である。図４Ｂは、同上のスペーサ部材の平面図である。
【図５】図５は、同上の加熱調理器の本体ケーシング、スペーサ部材及びカウンターの分解斜視図である。
【発明を実施するための形態】
【００１０】
以下、本開示に係る加熱調理器及びスペーサ部材の一実施形態について、図１〜図５に基いて説明する。
【００１１】
図１に示すように、加熱調理器１は、キッチンのカウンター６に形成されたカウンター開口６０（図５参照）に嵌め込まれるいわゆるドロップインタイプのガスコンロである。図１において、加熱調理器１の設置状態における方向を規定する。具体的には、加熱調理器１から見て、設計上、利用者が位置する方を前方と規定すると共にその反対を後方と規定する。また、前方から後方を見たときの左方及び右方をそれぞれ左方及び右方と規定する。
【００１２】
図２に示すように、加熱調理器１は、本体ケーシング２と、加熱手段３と、天板部４と、スペーサ部材５と、を備える。図３に示すように、本体ケーシング２は、平面視矩形の環状をなす側壁２１及び底壁２２を有し、上端に上端開口を有する。本体ケーシング２は、上端開口を介して上方に開放する略箱状をした部分と、側壁２１の上端部から外側に伸びるフランジ２３と、を有する。本体ケーシング２の側壁２１及び底壁２２には、ガス管が通される開口や、空気が通される開口が適宜形成されてもよい。
【００１３】
キッチンのカウンター６に形成されたカウンター開口６０は、平面視において本体ケーシング２の側壁２１よりも大きく形成される。本実施形態では、カウンター開口６０は、平面視において、本体ケーシング２の側壁２１に後述するスペーサ部材５を取り付けた状態よりも若干大きく形成される。また、カウンター開口６０は、平面視において本体ケーシング２のフランジ２３よりも小さく形成される。すなわち、本体ケーシング２は、カウンター６の上側から側壁２１及び底壁２２の部分をカウンター開口６０に落とし込み、カウンター６のカウンター開口６０の周囲の上面にフランジ２３を載置することができる。本実施形態では、平面視環状をしたパッキン１１にフランジ２３の外周部が嵌め込まれ、フランジ２３の外周部がパッキン１１を介してカウンター６のカウンター開口６０の周囲の上面に載置される。
【００１４】
天板部４は、本体ケーシング２の上側に配置され、上端開口を覆う。天板部４は、平面視において、本体ケーシング２の側壁２１及び底壁２２よりも大きく形成される。更に、天板部４は、平面視において、本体ケーシング２のフランジ２３と略同じかフランジ２３よりも若干大きく形成される。本体ケーシング２と天板部４とにより、加熱調理器１の筐体が構成される。
【００１５】
天板部４は、プレート４１と、枠４２と、を有する。プレート４１は、上側のガラスプレート４１１と、下側の金属プレート４１２と、を有する。枠４２は、プレート４１の外周部に配置される、平面視矩形環状をした金属からなるものである。枠４２の内周部に、プレート４１が載置される載置部４３が形成されている。枠４２の内周部にガラスプレート４１１が嵌め込まれ、金属プレート４１２が載置部４３に載置される。
【００１６】
加熱手段３は、本体ケーシング２に収容される。本実施形態では、加熱手段３は、コンロバーナである。コンロバーナには、図示しないが、都市ガス等の燃料ガスを供給するガス供給路が接続される。ガス供給路には、安全弁、流量調節弁等が設けられる。ガス供給路に設けられた安全弁が開き、流量調節弁の開度が調節され、点火プラグによるスパークが行われ、点火する。このようなコンロバーナからなる加熱手段３の下部が、本体ケーシング２に収容される。加熱手段３の上端部は、天板部４のプレート４１に形成された天板開口を通ってプレート４１の上側に位置している。天板部４の天板開口の周囲の上面には、五徳１２が載置される。
【００１７】
図２に示すように、スペーサ部材５は、本体ケーシング２の側壁２１の外側面２１０の周方向における一部に取り付けられる。本実施形態では、本体ケーシング２の側壁２１のうちの互いに対向する部分、すなわち左右の側壁２１の外側面２１０にそれぞれ取り付けられる。
【００１８】
図４Ａ及び図４Ｂに、本体ケーシング２の左側の側壁２１に取り付けられるスペーサ部材５を示す。スペーサ部材５は、上横片５１、縦片５２及び下横片５３を有する、断面コ字状をしたものである。また、縦片５２の前端部は縦本体片５２１に対して曲がって前片５２２を構成し、縦片５２の後端部は縦本体片５２１に対して曲がって後片５２３を構成する。
【００１９】
本実施形態のスペーサ部材５は、中心を通る一面に対して対称である。具体的には、スペーサ部材５は、上下の中心部を通る水平面について、上下に対称となっている。これにより、スペーサ部材５の共用化を図ることができる。すなわち、本体ケーシング２の左側の側壁２１に取り付けられるスペーサ部材５の上下を反転すれば、本体ケーシング２の右側の側壁２１に取り付けられるスペーサ部材５として利用可能である。上述したスペーサ部材５についての構成の名称（特に上横片５１及び下横片５３）は、便宜上のものであり、スペーサ部材５が右側の側壁２１に取り付けられる場合には上横片５１が下側に位置するとともに下横片５３が上側に位置する。なお、本実施形態のスペーサ部材５は、前後については対称となっていないが、前後について対称となってもよい。
【００２０】
スペーサ部材５は、本体ケーシング２の側壁２１の外側面２１０と対向しない露出外側面５０を有する（図２参照）。本実施形態では、縦本体片５２１の外面、前片５２２の外面及び後片５２３の外面が露出外側面５０となる。図５に示すように、露出外側面５０のうちの一部が、第一位置決め部５４となる。具体的には、第一位置決め部５４は、前片５２２の外面により構成される。第一位置決め部５４は、カウンター開口６０の内側面６１のうちの第一向き（本実施形態では後方）を向く第一部分６２に対して位置決めする。
【００２１】
ここで、位置決めとは、若干（例えば１〜５ｍｍ、好ましくは２〜３ｍｍ程度）の隙間をあけて、位置決め部としての露出外側面５０がカウンター開口６０の内側面６１に対向することをいう。すなわち、本来は、位置決め部としての露出外側面５０がカウンター開口６０の内側面６１に接触して位置決めされるのが好ましい。しかしながら、露出外側面５０がカウンター開口６０の内側面６１に接触するように設計すると、本体ケーシング２がカウンター開口６０に入らないおそれがあるため、若干の遊びとしての隙間が形成されるように設計する。なお、カウンター開口６０の寸法誤差の結果、露出外側面５０がカウンター開口６０の内側面６１に接触して位置決めされても構わないし、露出外側面５０がカウンター開口６０の内側面６１から設計よりも大きく離間しても構わない。
【００２２】
また、露出外側面５０のうちの他の一部が、第二位置決め部５５となる。具体的には、第二位置決め部５５は、縦本体片５２１の外面により構成される。第二位置決め部５５は、カウンター開口６０の内側面６１のうちの第一向きと交差する第二向き（本実施形態では右方）を向く第二部分６３に対して位置決めする。
【００２３】
更に本実施形態では、露出外側面５０のうちの更に他の一部が、第三位置決め部５６となる。具体的には、第三位置決め部５６は、後片５２３の外面により構成される。第三位置決め部５６は、カウンター開口６０の内側面６１のうちの第一向きと反対の第三向き（本実施形態では前方）を向く第三部分６４に対して位置決めする。
【００２４】
スペーサ部材５は、取り付けか非取り付けを選択して後付けで、本体ケーシング２に取り付け可能である。すなわち、スペーサ部材５が本体ケーシング２に取り付けられずに、加熱調理器１がカウンター開口６０に嵌め込まれることもある。
【００２５】
スペーサ部材５は、着脱可能に本体ケーシング２に取り付けられることが好ましい。すなわち、スペーサ部材５は、一度本体ケーシング２に取り付けられると、本体ケーシング２から取り外すのが困難なものであってもよいし、本体ケーシング２に取り付けられた後、容易に本体ケーシング２から取り外されるものでもよい。
【００２６】
本実施形態では、スペーサ部材５は、側壁２１の第一固定箇所２１１及び第二固定箇所２１２に固定される。具体的には、第一固定箇所２１１は、スペーサ部材５の上横片５１及び下横片５３の前端部であり、第一固定箇所２１１に、ビス等の固着具１３がねじ込まれるねじ孔５７が形成されている。また、第二固定箇所２１２は、スペーサ部材５の上横片５１及び下横片５３の後端部であり、第二固定箇所２１２に、固着具１３がねじ込まれるねじ孔５７が形成されている。
【００２７】
また、本体ケーシング２のフランジ２３には、ねじ孔５７に対応する位置に、固着具１３が通る貫通孔２３１が形成されている。固着具１３がフランジ２３の貫通孔２３１に上方より通されて、上横片５１のねじ孔５７にねじ込まれて、スペーサ部材５が本体ケーシング２に取り付けられる。本体ケーシング２の側壁２１は、第一固定箇所２１１に対応する部分と第二固定箇所２１２に対応する部分との間に、第一固定箇所２１１及び第二固定箇所２１２における曲げ剛性よりも低い曲げ剛性を有する低曲げ剛性箇所２１３を有する。この場合の曲げ剛性とは、前後方向を含む垂直面内における曲げに対する剛性をいう。これにより、側壁２１が低曲げ剛性箇所２１３を有する場合でも、スペーサ部材５を本体ケーシング２に取り付けることにより、曲げ剛性を補強することができる。
【００２８】
また、固着具１３を外せば、スペーサ部材５が本体ケーシング２から取り外される。スペーサ部材５は、着脱可能に本体ケーシング２に取り付けられている。
【００２９】
本実施形態では、スペーサ部材５は、本体ケーシング２に対して位置決めするケーシング位置決め部５８を有する。具体的には、スペーサ部材５の上横片５１及び下横片５３の前端部、前後方向における中間部及び後端部に、ケーシング位置決め部５８として、上方又は下方に突出する突出片５８１が形成されている。また、本体ケーシング２のフランジ２３には、突出片５８１に対応する位置に、突出片５８１が挿入される位置決め孔２３２が形成されている。突出片５８１がフランジ２３の位置決め孔２３２に下方より挿入されて、スペーサ部材５が本体ケーシング２に対して位置決めされる。
【００３０】
本実施形態では、スペーサ部材５は、カウンター開口６０の内側面６１に接触するスパイク片５９を有する。具体的には、スペーサ部材５の縦本体片５２１の一部が切り起こされて、スパイク片５９が形成されている。スパイク片５９は、中間部が内方にむけて膨出しており、先端部が外方に向けて突出する。スパイク片５９は、弾性を有しており、膨出した中間部を外方に押すことで、先端部が外方に移動し、膨出した中間部を外方に押さないようにすると、先端部が内方に移動する。
【００３１】
本体ケーシング２の側壁２１のスパイク片５９の中間部に対応する位置に、スパイク片５９を押すスパイクねじ１４がねじ込まれるスパイクねじ孔２１４が形成されている。スパイクねじ１４をスパイクねじ孔２１４にねじ込み、ねじ込み量を調節することで、スパイク片５９の先端部の外方への突出量を調節することができる。スパイク片５９の先端部は、カウンター開口６０の内側面６１に接触することで、本体ケーシング２がカウンター開口６０から抜けるのが抑制される。特に、スパイク片５９の先端部が、カウンター開口６０の内側面６１に食い込むことで、より一層、本体ケーシング２がカウンター開口６０から抜けるのが抑制される。
【００３２】
本実施形態の加熱調理器１にあっては、スペーサ部材５の第一位置決め部５４により、カウンター開口６０の内側面６１の第一部分６２に対して位置決めされ、第二位置決め部５５により、カウンター開口６０の内側面６１の第二部分６３に対して位置決めされる。このため、二方向の位置決めがなされ、カウンター開口６０に対して水平方向における加熱調理器１の位置が決まり、従来例のように、固定用ボルトが傾いてコンロ開口の内壁面に当たらないといったことが起こりにくい。
【００３３】
また、上述したカウンター開口６０より小さいカウンター開口６０にも、加熱調理器１は取り付け可能である。この場合のカウンター開口６０は、平面視において、本体ケーシング２の側壁２１よりも若干大きく形成され、かつ、本体ケーシング２の側壁２１にスペーサ部材５を取り付けた状態よりも小さく形成される。
【００３４】
この場合には、加熱調理器１にスペーサ部材５が取り付けられない状態で、カウンター開口６０に挿入される。側壁２１の外側面２１０が、カウンター開口６０の内側面６１に対して位置決めする位置決め部となる。
【００３５】
なお、加熱調理器１は、ガスコンロでなくてもよく、例えばいわゆるＩＨ（Induction Heating）加熱調理器であってもよい。
【００３６】
なお、天板部４の大きさは限定されない。また、天板部４は、プレート４１及び枠４２を有する上記構成に限定されない。
【００３７】
なお、天板部４に天板開口は形成されなくてもよい。すなわち、加熱調理器１が例えばＩＨ加熱調理器の場合には、天板開口は不要である。五徳１２は特に設けられなくてもよい。
【００３８】
なお、第三位置決め部５６は、任意の構成であり、特に設けられなくてもよい。
【００３９】
なお、ケーシング位置決め部５８は、任意の構成であり、特に設けられなくてもよい。
【００４０】
なお、スパイク片５９は、任意の構成であり、特に設けられなくてもよい。
【００４１】
以上、述べた第一実施形態およびその変形例から明らかなように、第１の態様の加熱調理器１は、本体ケーシング２と、加熱手段３と、天板部４と、スペーサ部材５と、を備える。本体ケーシング２は、側壁２１を有し上端に上端開口を有する。加熱手段３は、本体ケーシング２に収容される。天板部４は、上端開口を覆う。スペーサ部材５は、側壁２１の外側面２１０の周方向における一部に、取り付けか非取り付けを選択して後付けで取り付け可能である。スペーサ部材５は、本体ケーシング２に取り付けられた状態で本体ケーシング２と対向しない露出外側面５０を有する。露出外側面５０のうちの一部が、カウンター６に形成されたカウンター開口６０の内側面６１のうちの第一向きを向く第一部分６２に対して位置決めする第一位置決め部５４となる。露出外側面５０のうちの他の一部が、カウンター開口６０の内側面６１のうちの第一向きと交差する第二向きを向く第二部分６３に対して位置決めする第二位置決め部５５となる。
【００４２】
第１の態様によれば、カウンター開口６０に対して水平方向における加熱調理器１の位置が決まる。
【００４３】
第２の態様では、第１の態様との組み合わせにより実現され得る。第２の態様では、露出外側面５０のうちの更に他の一部が、カウンター開口６０の内側面６１のうちの第一向きと反対の第三向きを向く第三部分６４に対して位置決めする第三位置決め部５６となる。
【００４４】
第２の態様によれば、より確実に、カウンター開口６０に対して水平方向における加熱調理器１の位置が決まる。
【００４５】
第３の態様では、第１又は第２の態様との組み合わせにより実現され得る。第３の態様では、スペーサ部材５は、側壁２１のうちの互いに対向する部分の外側面２１０にそれぞれ取り付け可能である。
【００４６】
第３の態様によれば、より確実に、カウンター開口６０に対して水平方向における加熱調理器１の位置が決まる。
【００４７】
第４の態様では、第１〜第３のいずれかの態様との組み合わせにより実現され得る。第４の態様では、スペーサ部材５は、本体ケーシング２に対して位置決めするケーシング位置決め部５８を有する。
【００４８】
第４の態様によれば、スペーサ部材５の本体ケーシング２に対して位置決めができる。
【００４９】
第５の態様では、第１〜第４のいずれかの態様との組み合わせにより実現され得る。第５の態様では、スペーサ部材５は、側壁２１の第一固定箇所２１１及び第二固定箇所２１２に固定される。側壁２１は、第一固定箇所２１１と第二固定箇所２１２の間に、第一固定箇所２１１及び第二固定箇所２１２における曲げ剛性よりも低い曲げ剛性を有する低曲げ剛性箇所２１３を有する。
【００５０】
第５の態様によれば、スペーサ部材５を本体ケーシング２に取り付けることにより、曲げ剛性を補強することができる。
【００５１】
第６の態様では、第１〜第５のいずれかの態様との組み合わせにより実現され得る。第６の態様では、スペーサ部材５は、中心を通る一面に対して対称である。
【００５２】
第６の態様によれば、スペーサ部材５の共用化を図りやすくなる。
【００５３】
第７の態様では、第１〜第６のいずれかの態様との組み合わせにより実現され得る。第７の態様では、スペーサ部材５は、カウンター開口６０の内側面６１に接触するスパイク片５９を有する。
【００５４】
第７の態様によれば、本体ケーシング２がカウンター開口６０から抜けるのが抑制される。
【００５５】
第８の態様のスペーサ部材５は、第１〜第７のいずれかの態様の加熱調理器１に用いられる。
【００５６】
第８の態様によれば、加熱調理器１にスペーサ部材５が取り付けられることで、カウンター開口６０に対して水平方向における加熱調理器１の位置が決まる。
【符号の説明】
【００５７】
１  加熱調理器
２  本体ケーシング
２１  側壁
２１０  外側面
２１１  第一固定箇所
２１２  第二固定箇所
２１３  低曲げ剛性箇所
３  加熱手段
４  天板部
５  スペーサ部材
５０  露出外側面
５４  第一位置決め部
５５  第二位置決め部
５６  第三位置決め部
５８  ケーシング位置決め部
５９  スパイク片
６  カウンター
６０  カウンター開口
６１  内側面
６２  第一部分
６３  第二部分
６４  第三部分
【図１】
2020118399.tif 000003
【図２】
2020118399.tif 000004
【図３】
2020118399.tif 000005
【図４】
2020118399.tif 000006
【図５】
2020118399.tif 000007